(57)【特許請求の範囲】
【請求項１】
複数本の手すり子を等間隔で並列配置した手すり構造において、
前記手すり子の断面形状は長軸を有する略長円形状であって、
前記手すり子の配列方向に対し、各手すり子断面の長軸が交互に逆方向に傾斜するように手すり子を並列配置し、
前記長軸の傾斜角度は、手すり子配列方向に直交する方向に対し３０度〜７０度であることを特徴とする手すり構造。
【請求項２】
前記手すり子の断面形状は、
長軸方向の長さ：短軸方向の長さ＝約４．１〜約１．５：１
であることを特徴とする請求項１に記載の手すり構造。
【発明の詳細な説明】
【０００１】
【発明の属する技術分野】
本発明は建物の手すり構造に関する。
【０００２】
【従来の技術】
建物のベランダ部分には通常複数本の棒状手すり子を等間隔で並列配置した手すりが設けられる。このような手すりは、風を受けると風向や風速に応じて風切り音を発生する。このような風切り音を小さくするため、従来、特に風切り音が大きくなる建物の隅部のベランダ部分を手すりに代えてコンクリート等の壁体で構成して風の通過を防止したり、あるいは、手すりの外側に防風板を設けて風を遮ることにより風切り音の防止を図っていた。
【０００３】
【発明が解決しようとする課題】
しかしながら、手すりに代えてコンクリート壁体を設けると、建物ベランダ部分の重量が大きくなりまた施工も面倒になって好ましくない。また、手すりの外側に防風板を設けると、風圧が大きくなるためこれに対応して手すりの強度を大きくする必要があり、この場合にも各手すり子外形が大きくなって手すり自体の重量の増加や施工の煩雑さを伴う。
【０００４】
本発明は上記従来技術を考慮し、簡単な構造で重量の増加や施工の煩雑さを伴うことなく効果的に風切り音を防止できる手すり構造の提供を目的とする。
【０００５】
【課題を解決するための手段】
前記目的を達成するため、本発明では、複数本の手すり子を等間隔で並列配置した手すり構造において、前記手すり子の断面形状は長軸を有する略長円形状であって、前記手すり子の配列方向に対し、各手すり子断面の長軸が交互に逆方向に傾斜するように手すり子を並列配置したことを特徴とする手すり構造を提供する。
【０００６】
この構成によれば、各手すり子の断面形状が角部をもたない滑らかな長円形状であるため風切り音が抑制され、さらにこの場合隣接する手すり子の長円断面がハ字状になるように手すり子を配列することにより風切り音がさらに効果的に防止される。
【０００７】
【発明の実施の形態】
図１は、本発明が適用される手すりの正面図である。この手すり１は、左右の支柱２，２と上枠３および下枠４間に、複数本の長さＬの棒状手すり子５を等間隔Ｐで並列配置して床６上に設置したものである。本発明に係る手すり子５は、その断面形状が以下に説明するように滑らかな曲面で囲まれた長円形状である。図２（Ａ）（Ｂ）（Ｃ）は、それぞれ上記手すり１の各手すり子５の断面の長円形状の例を示す。各例とも、長軸ａおよび短軸ｂを有し各軸に関し対称な形状である。（Ａ）図は楕円形状を示す。（Ｂ）図は、長軸ａの両端部がほぼ半円形状で長手方向の両側縁が直線状の手すり子を示す。（Ｃ）図は、長軸ａおよび短軸ｂの両側縁が直線状であって４隅部が滑らかな円弧で連続した矩形に近い形状である。
【０００８】
このように、本発明に係る手すり子５は断面が長円形状である。この場合、長円形状とは、長軸ａおよび短軸ｂを有し、輪郭が滑らかな曲線または滑らかに連続する曲線と直線とにより形成された形状をいう。また、長軸ａおよび短軸ｂに関し対称であれば製造上および施工上有利である。
【０００９】
図３は、本発明の実施の形態に係る手すりにおける手すり子５の配列形状を示す平面図である。図示したように、長円断面の手すり子５は、隣接する手すり子５同士がハ字形状を形成するように、交互に逆向きに傾斜して一定ピッチＰで配列される。このピッチＰは例えば１２０ｍｍまたはそれ以下である。各手すり子５の長軸方向の長さＬ１は約３０ｍｍ〜８０ｍｍの範囲、また短軸方向の長さＬ２は約１５ｍｍ〜６０ｍｍの範囲とし、またＬ１：Ｌ２は約４：１〜約１．５：１とすることが特に防音特性上好ましい。また、各手すり子５の長軸ａは、手すり子５の配列方向Ｓと直交する方向Ｔに対し一定の角度αだけ傾斜している。この傾斜角度αは約３０度〜７０度、特に好ましくは４５度〜６０度であることが防音特性上好ましい。
【００１０】
このようなハ字状の手すり子配列が風切り音防止効果を有することは、発明者らの実験により確認されたものである。
【００１１】
図４（Ａ）〜（Ｅ）は、実験を行った手すり子５の各種配列形状を示す。（Ａ）は、配列方向Ｓに対し、各手すり子５の長軸を一致させて配列したもの、（Ｂ）は、配列方向Ｓに対し、各手すり子５の長軸を直交配置したもの、（Ｃ）は、配列方向Ｓに対し、各手すり子５の長軸を直交したものと傾斜させたものを交互に配置したもの、（Ｄ）は、長軸を一定方向に傾斜させたもの、（Ｅ）は、長軸をハ字状に配置した配列を示す。このような異なる手すり子配置の手すり（Ａ）〜（Ｅ）に対し、風向および風速を変えて風を吹き付けてその風切り音を測定する実験を行った。
【００１２】
風切り音は風速が大きい程発生しやすい。したがって、その防止効果についての評価は、まず風速に対しどの程度の風速まで風切り音が発生しないかについて行われる。すなわち、なるべく大きな風速に対し風切り音を発生させないことが望ましい。また、手すりに対しその手すり形状等に対応してある角度からの風に対し風切り音が大きくなる。したがって、風切り音防止については、この風切り音が発生する風向きの角度の範囲がなるべく狭いほど好ましい。このような点から図４の（Ａ）〜（Ｅ）の手すりを評価した結果、（Ｅ）に示すハ字状配列の手すりが風切り音の抑制に効果があることが確認された。
【００１３】
図５〜図７は、このような実験データの一部を示す。図５（ａ）は図４（Ｂ）の配列、図５（ｂ）〜（ｇ）は図４（Ｄ）の配列、図６は図４（Ｃ）の配列、図７は図４（Ｅ）の配列の実験結果を示す。各図のグラフにおいて、横軸は周波数（Ｈｚ）、縦軸は手すり子の振動加速度の相対レベル（ｄＢ）を表わす。図５（ｂ）〜（ｇ）および図６、図７は、風向きβを手すりに対し５度から４５度まで、又は０度から４５度まで５度間隔で変えた６つ又は７つのグラフによるデータを示している。なお、風向きβは、図３に示すように、手すり１の長手方向（手すり子５の配列方向）Ｓに対する角度である。
【００１４】
図８は、長軸方向の長さ：短軸方向の長さ＝約４：３の手すり子複数を図４（Ｅ）のようにハ字状に配置したものであって、図４（Ｅ）のハ字状配置における傾斜角度αについての実験データの一部を示す。（Ａ）はαが５５度以外の場合で、（Ｂ）はαが５５度の場合であり、（Ｃ）は実験時の暗騒音のグラフである。各グラフは、横軸が周波数（Ｈｚ）、縦軸が音の強さ（ｄＢ）を示している。実験は、風速を１２ｍ／ｓ、風向はβ＝７５度として行った。（Ａ）（Ｂ）のグラフから（Ｃ）の暗騒音の値を除去した値が手すりによる風切り音の強さとなる。この実験から、α＝５５度のハ字状配置の手すりとした場合に風切り音の発生が最も小さいことが確認された。
【００１５】
図９〜図１４は、本発明のさらに別の実施例のハ字状配置の手すり子からなる手すりにおける風切り音測定結果のデータを示す。各図において、横軸は周波数（Ｈｚ）、縦軸は音の強さ（ｄＢ）を示す。各図において、（ａ）は手すり子の長さＬ＝７００ｍｍ、間隔Ｐ＝１００ｍｍ（図１参照）、（ｂ）はＬ＝７４０ｍｍ、Ｐ＝１１０ｍｍ、（ｃ）はＬ＝８１５ｍｍ、Ｐ＝１１０ｍｍ、（ｄ）はＬ＝９３５ｍｍ、Ｐ＝１００ｍｍのデータを示す。図９は、風向β＝３５度、風速１４ｍ／ｓ、図１０は、風向β＝４０度、風速１４ｍ／ｓ、図１１は、風向β＝３５度、風速１８ｍ／ｓ、図１２は、風向β＝４０度、風速１８ｍ／ｓ、図１３は、風向β＝３５度、風速２２ｍ／ｓ、図１４は、風向β＝４０度、風速２２ｍ／ｓの場合のデータである。
いずれの場合にも風切り音の強さは充分に低下していることが確認された。
【００１６】
【発明の効果】
以上説明したように、本発明においては、各手すり子の断面形状が角部をもたない滑らかな長円形状であるため風切り音が抑制され、さらにこの場合隣接する手すり子の長円断面がハ字状になるように手すり子を交互に逆方向に傾斜させて配列することにより、簡単な構造で重量の増加や施工の煩雑さを伴うことなく、風切り音が効果的に防止される。
【図面の簡単な説明】
【図１】  本発明が適用される手すりの正面図。
【図２】  本発明に係る手すり子の断面形状の例を示す図。
【図３】  本発明の実施形態に係る手すり子配列を示す平面図。
【図４】  手すり子の配列形状が異なる手すりの例を示す図。
【図５】  （ａ）は図４（Ｂ）の風切り音のグラフ、（ｂ）〜（ｇ）は図４（Ｄ）の風切り音のグラフ。
【図６】  図４（Ｃ）の風切り音のグラフ。
【図７】  図４（Ｅ）の風切り音のグラフ。
【図８】  本発明の手すり子の傾斜角度αに関する実験データのグラフ。
【図９】  本発明の手すりにおける風向β＝３５度、風速１４ｍ／ｓの場合の風切り音の測定データのグラフ。
【図１０】  本発明の手すりにおける風向β＝４０度、風速１４ｍ／ｓの場合の風切り音の測定データのグラフ。
【図１１】  本発明の手すりにおける風向β＝３５度、風速１８ｍ／ｓの場合の風切り音の測定データのグラフ。
【図１２】  本発明の手すりにおける風向β＝４０度、風速１８ｍ／ｓの場合の風切り音の測定データのグラフ。
【図１３】  本発明の手すりにおける風向β＝３５度、風速２２ｍ／ｓの場合の風切り音の測定データのグラフ。
【図１４】  本発明の手すりにおける風向β＝４０度、風速２２ｍ／ｓの場合の風切り音の測定データのグラフ。
【符号の説明】
１：手すり、２：支柱、３：上枠、４：下枠、５：手すり子、６：床、
ａ：長軸、ｂ：短軸、Ｓ：手すり子の配列方向、
Ｔ：手すり子の配列方向に直交する方向、
α：手すり子の傾斜角度、
β：風向、
Ｆ０：手すりの正面から直角に向かう風（風向９０度）
Ｆ１：手すりに沿って真横から吹く風（風向０度）。
【図１】
0003746391.tif 000002
【図２】
0003746391.tif 000003
【図３】
0003746391.tif 000004
【図４】
0003746391.tif 000005
【図５】
0003746391.tif 000006
【図６】
0003746391.tif 000007
【図７】
0003746391.tif 000008
【図８】
0003746391.tif 000009
【図９】
0003746391.tif 000010
【図１０】
0003746391.tif 000011
【図１１】
0003746391.tif 000012
【図１２】
0003746391.tif 000013
【図１３】
0003746391.tif 000014
【図１４】
0003746391.tif 000015